(57)【要約】【課題】収納スペースの可及的な小型化を図り得る構造簡単な薬剤分割装置を提供する。【解決手段】ミドルタブレットの収容マスのうちの一方側収容マスに対応した収容マスを有するアンダータブレットを備える。まず、トップタブレットの収容マスから一方側収容マスを介してアンダータブレットへ薬剤を落下させ、且つ、トップタブレットからミドルタブレットの他方側収容マスへ薬剤を落下させる。次に、アンダータブレットの収容マスから薬剤を順次落下させて該アンダータブレットを空状態にした後に、ミドルタブレットの他方側収容マスからアンダータブレットへ薬剤を落下させる。【選択図】　図１
2004113506.tif 000002
【特許請求の範囲】
【請求項１】
所定方向に並設されたｍ個の第１収容マスと、該第１収容マスを画する第１区画部とを有するトップタブレットと、
前記トップタブレットの下方に配設され、前記第１収容マス及び第１区画部に対応した第２収容マス及び第２区画部を有するミドルタブレットと、
前記第１収容マスの下端開口を閉塞及び開放する第１遮蔽部及び第１開口部を有し、該第１遮蔽部及び第１開口部がそれぞれ前記第１収容マス及び第１区画部の直下に位置する閉塞位置と、該第１遮蔽部及び第１開口部がぞれぞれ前記第１区画部及び第１収容マスの直下に位置する開放位置とをとり得るように前記所定方向に移動可能とされたトップシャッタと、
前記ｍ個の第２収容マスのうちの前記所定方向一方側に位置するｎ個（ｎ≧ｍ／２）の一方側第２収容マスに対応したｎ個の第３収容マスと、該ｎ個の第３収容マスを画する第３区画部とを有し、前記ミドルタブレットの下方において前記所定方向に移動可能とされたアンダータブレットと、
前記第２収容マスのうちの前記所定方向他方側に位置するｍ−ｎ個の他方側第２収容マスの下端開口を閉塞及び開放する第２遮蔽部及び第２開放部を有し、該第２遮蔽部及び第２開口部がそれぞれ前記他方側第２収容マス及び第２区画部の直下に位置する閉塞位置と、該第２遮蔽部及び第２開口部がぞれぞれ第２区画部及び他方側第２収容マスの直下に位置する開放位置とをとり得るように前記所定方向に移動可能とされたミドルシャッタと、
前記第３収容マスの下端開口を閉塞及び開放する閉塞位置及び開放位置をとり得るように前記アンダータブレットに揺動自在に連結されたｎ個のバルブ板と、前記アンダータブレットの下方に配設されたスライドプレートであって、該アンダータブレットとの相対移動に基づき、前記ｎ個のバルブ板を前記所定方向に沿って順次開放させるスライドプレートとを備え、
前記アンダータブレットは、前記所定方向一方側への移動によって前記トップシャッタを閉塞位置から開放位置へ移行させると共に、該トップシャッタが開放位置に位置する際に前記第３収容マスが前記一方側第２収容マスと位置合わせされ、且つ、前記所定方向他方側への移動によって前記ミドルシャッタを閉塞位置から開放位置へ移行させると共に、該ミドルシャッタが開放位置に位置する際に前記第３収容マスが前記他方側第２収容マスと位置合わせされるように構成されていることを特徴とする薬剤分割装置。
【請求項２】
前記ｍ個は複数個とされており、
前記ｎ個はｍ／２個であることを特徴とする請求項１に記載の薬剤分割装置。
【請求項３】
前記スライドプレートは、互いの対向端部が前記ミドルタブレットの前記所定方向略中央で突き合わされる一対のスライド部材を有しており、
該薬剤分割装置は、前記一対のスライド部材における対向端部の突き合わせ位置の下方にホッパを備えていることを特徴とする請求項２に記載の薬剤分割装置。
【請求項４】
前記トップシャッタは、前記トップタブレットの下方に位置し、前記第１開口部及び第１遮蔽部が設けられた第１水平部と、該第１水平部の所定方向一方端部から下方に延びる第１当接部とを有し、
前記ミドルシャッタは、前記ミドルタブレットの下方に位置し、前記第２開口部及び第２遮蔽部が設けられた第２水平部と、該第２水平部の所定方向他端部から下方に延びる第２当接部とを有し、
前記アンダータブレットは、前記所定方向一端部が前記第１当接部を押動することで、前記トップシャッタを閉塞位置から開放位置まで移行させるように構成され、且つ、前記所定方向他端部が前記第２当接部を押動することで、前記ミドルシャッタを閉塞位置から開放位置へ移行させるように構成されていることを特徴とする請求項１から３の何れかに記載の薬剤分割装置。
【請求項５】
前記トップタブレット及びミドルタブレットにおける各収容マス及び各区画部は前記所定方向幅がＬ１とされ、
前記アンダータブレットにおける第３収容マスは前記所定方向幅がＬ１とされており、
前記アンダータブレットにおける第３区画部のうち前記第３収容マスに挟まれる中央第３区画部は前記所定方向幅がＬ１とされ、且つ、前記所定方向両端部に位置する外方第３区画部は前記所定方向幅が２Ｌ１とされており、
前記トップシャッタは、閉塞位置から所定方向一方側へ距離Ｌ１だけ押動されることで開放位置に位置し、
前記ミドルシャッタは、閉塞位置から所定方向他方側へ距離Ｌ１だけ押動されることで開放位置に位置することを特徴とする請求項４に記載の薬剤分割装置。
【請求項６】
前記トップタブレット，前記ミドルタブレット及び前記アンダータブレットは、前記所定方向と略直交する方向にも複数の収容マスを有していることを特徴とする請求項１から５の何れかに記載の薬剤分割装置。
【発明の詳細な説明】
【０００１】
【発明の属する技術分野】
本発明は、錠剤等の薬剤を所定量毎に分割収容すると共に、該分割収容した薬剤を後続する包装装置等へ供給する薬剤分割装置に関する。
【０００２】
【従来の技術】
薬剤分割装置は、錠剤や散薬等の薬剤を所定量毎（例えば一処方毎）に後続する包装装置等へ供給するものである。
図３に、従来の薬剤分割装置の一例を示す。
【０００３】
図３に示すように、従来の薬剤分割装置１００は、少なくとも所定方向（図３におけるＸ方向）に並設された複数の収容マス１１１を有するトップタブレット１１０と、該トップタブレット１１０の下方に配置されたトップシャッタ１２０と、前記トップタブレット１１０における複数の収容マス１１１に対応した複数の収容マス１３１を有し、該トップタブレット１１０の下方に配設されたアンダータブレット１３０と、該アンダータブレット１３０における複数の収容マス１３１を個別に開放／閉塞する複数のバルブ板１４０と、前記アンダータブレット１３０との相対移動に応じて、該複数のバルブ板１４０を、順次、開放又は閉塞させる保持板１５０とを備えている。
【０００４】
前記トップタブレットは、前記複数の収容マス１１１を画する区画部１１２を有している。図３においては、収容マス１１１の下端開口におけるＸ方向幅と、区画部１１２の下端部におけるＸ方向幅とは共にＬ１とされている。
前記トップシャッタ１２０は、前記収容マス１１１を閉塞可能な遮蔽部１２１と、該収容マス１１１を開放可能な開口部１２２とを有している。該トップシャッタ１２０は、前記遮蔽部１２１が収容マス１１１の直下に位置して該収容マス１１１を閉塞する閉塞位置と、前記遮蔽部１２１が区画部１１２の直下に位置して前記収容マス１１１を開放する開放位置とをとり得るように、前記トップタブレット１１０に対してＸ方向に相対移動するように構成されている。
【０００５】
前記アンダータブレット１３０は、前記トップタブレット１１０の収容マス１１１及び区画部１１２に対応した収容マス１３１及び区画部１３２を有している。
即ち、図３に示す例においては、アンダータブレット１３０の収容マス１３１及び区画部１３２は共に下端部のＸ方向幅がＬ１とされており、従って、該アンダータブレット１３０全体のＸ方向幅Ｌは１７Ｌ１とされている。
【０００６】
前記バルブ板１４０は、対応する収容マス１３１を閉塞する閉塞位置と、該収容マス１３１を開放する開放位置とをとり得るように、前記アンダータブレット１３０に対して揺動自在に連結されている。
【０００７】
斯かる従来の薬剤分割装置１００は、以下のように作動する。
まず、前記トップシャッタ１２０を閉塞位置に位置させた状態で、トップタブレット１１０の収容マス１１１にそれぞれ所定の薬剤を投入する（図３（ａ））。次に、前記保持板１５０によって前記複数のバルブ板１４０が閉塞位置に保持された状態で、前記トップシャッタ１２０を開放位置へ移動させる。これにより、トップタブレット１１０の各収容マス１１１に収容されていた薬剤は、それぞれ、アンダータブレット１３０の各収容マス１３１に落下投入される（図３（ｂ））。
【０００８】
その後、前記アンダータブレット１３０を前記保持板１５０に対してＸ方向に移動させることで、該アンダータブレット１３０における複数の収容マス１３１に収容されている薬剤を、順次、ホッパ１６０に投入させる（図３（ｃ））。
なお、トップタブレット１１０からアンダータブレット１３０への薬剤の落下投入をした後においては、前記トップシャッタ１１０を、再度、閉塞位置に位置させることで、次段の薬剤をトップタブレット１１０の収容マス１１１に投入させることができる（図３（ｃ））。
【０００９】
このように、従来の薬剤分割装置１００は、トップタブレット１１０の収容マス１１１に収容されている所定量の薬剤を、順次、個別に包装装置等へ供給できるが、以下に示す不都合を有している。
即ち、前記従来の構成において、アンダータブレット１３０における複数の収容マス１３１内の薬剤を全てホッパ１６０へ投入させる為には、該アンダータブレット１３０を、前記保持板１５０に対して、Ｘ方向一方側へ該アンダータブレット１３０のＸ方向幅Ｌ（＝１７Ｌ１）だけ相対移動させる必要がある（図３（ｄ））。
【００１０】
つまり、前記従来の構成においては、アンダータブレット１３０のＸ方向一方側に、該アンダータブレット１３０のＸ方向幅Ｌと同一距離Ｌ（＝１７Ｌ１）の移動スペースを確保しなければならず、結果的に、装置自体のＸ方向幅を十分に縮小させることができないという問題があった。
【００１１】
【発明が解決しようとする課題】
本発明は、斯かる従来技術に鑑みなされたものであり、収納スペースの可及的な小型化を図り得る構造簡単な薬剤分割装置の提供を、一の目的とする。
【００１２】
【課題を解決するための手段】
本発明は、前記目的を達成するために、所定方向に並設されたｍ個の第１収容マスと、該第１収容マスを画する第１区画部とを有するトップタブレットと、前記トップタブレットの下方に配設され、前記第１収容マス及び第１区画部に対応した第２収容マス及び第２区画部を有するミドルタブレットと、　記第１収容マスの下端開口を閉塞及び開放する第１遮蔽部及び第１開口部を有し、該第１遮蔽部及び第１開口部がそれぞれ前記第１収容マス及び第１区画部の直下に位置する閉塞位置と、該第１遮蔽部及び第１開口部がぞれぞれ前記第１区画部及び第１収容マスの直下に位置する開放位置とをとり得るように前記所定方向に移動可能とされたトップシャッタと、前記ｍ個の第２収容マスのうちの前記所定方向一方側に位置するｎ個（ｎ≧ｍ／２）の一方側第２収容マスに対応したｎ個の第３収容マスと、該ｎ個の第３収容マスを画する第３区画部とを有し、前記ミドルタブレットの下方において前記所定方向に移動可能とされたアンダータブレットと、前記第２収容マスのうちの前記所定方向他方側に位置するｍ−ｎ個の他方側第２収容マスの下端開口を閉塞及び開放する第２遮蔽部及び第２開放部を有し、該第２遮蔽部及び第２開口部がそれぞれ前記他方側第２収容マス及び第２区画部の直下に位置する閉塞位置と、該第２遮蔽部及び第２開口部がぞれぞれ第２区画部及び他方側第２収容マスの直下に位置する開放位置とをとり得るように前記所定方向に移動可能とされたミドルシャッタと、前記第３収容マスの下端開口を閉塞及び開放する閉塞位置及び開放位置をとり得るように前記アンダータブレットに揺動自在に連結されたｎ個のバルブ板と、前記アンダータブレットの下方に配設されたスライドプレートであって、該アンダータブレットとの相対移動に基づき、前記ｎ個のバルブ板を前記所定方向に沿って順次開放させるスライドプレートとを備え、前記アンダータブレットは、前記所定方向一方側への移動によって前記トップシャッタを閉塞位置から開放位置へ移行させると共に、該トップシャッタが開放位置に位置する際に前記第３収容マスが前記一方側第２収容マスと位置合わせされ、且つ、前記所定方向他方側への移動によって前記ミドルシャッタを閉塞位置から開放位置へ移行させると共に、該ミドルシャッタが開放位置に位置する際に前記第３収容マスが前記他方側第２収容マスと位置合わせされるように構成されている薬剤分割装置を提供する。
好ましくは、前記ｍ個は複数個とされ、且つ、前記ｎ個はｍ／２個とされる
。
【００１３】
好ましくは、前記スライドプレートは、互いの対向端部が前記ミドルタブレットの前記所定方向略中央で突き合わされる一対のスライド部材を有するものとされる。斯かる態様において、該薬剤分割装置は、前記一対のスライド部材における対向端部の突き合わせ位置の下方にホッパを備え得る。
【００１４】
より好ましくは、前記トップシャッタは、前記トップタブレットの下方に位置し、前記第１開口部及び第１遮蔽部が設けられた第１水平部と、該第１水平部の所定方向一方端部から下方に延びる第１当接部とを有する。又、前記ミドルシャッタは、前記ミドルタブレットの下方に位置し、前記第２開口部及び第２遮蔽部が設けられた第２水平部と、該第２水平部の所定方向他端部から下方に延びる第２当接部とを有する。そして、前記アンダータブレットは、前記所定方向一端部が前記第１当接部を押動することで、前記トップシャッタを閉塞位置から開放位置まで移行させるように構成され、且つ、前記所定方向他端部が前記第２当接部を押動することで、前記ミドルシャッタを閉塞位置から開放位置へ移行させるように構成される。
【００１５】
より好ましくは、前記トップタブレット及びミドルタブレットにおける各収容マス及び各区画部は前記所定方向幅がＬ１とされ、前記アンダータブレットにおける第３収容マスは前記所定方向幅がＬ１とされる。又、前記アンダータブレットにおける第３区画部のうち前記第３収容マスに挟まれる中央第３区画部は前記所定方向幅がＬ１とされ、且つ、前記所定方向両端部に位置する外方第３区画部は前記所定方向幅が２Ｌ１とされる。そして、前記トップシャッタは、閉塞位置から所定方向一方側へ距離Ｌ１だけ押動されることで開放位置に位置し、前記ミドルシャッタは、閉塞位置から所定方向他方側へ距離Ｌ１だけ押動されることで開放位置に位置する。
好ましくは、前記トップタブレット，前記ミドルタブレット及び前記アンダータブレットは、前記所定方向と略直交する方向にも複数の収容マスを有し得る。
【００１６】
【発明の実施の形態】
実施の形態１
以下に、本発明に係る薬剤分割装置の好ましい一実施の形態について、添付図面を参照しつつ説明する。
図１及び図２は、それぞれ、本実施の形態に係る薬剤分割装置１の縦断面図である。
【００１７】
本実施の形態に係る薬剤分割装置１は、錠剤等の薬剤を所定量毎に分割収容すると共に、該分割収容された薬剤を下方へ落下させ得るように構成されている。具体的には、該薬剤分割装置１は、図１に示すように、トップタブレット１０と、前記トップタブレット１０の下方に配設されたミドルタブレット３０と、前記ミドルタブレット３０の下方に配設されたアンダータブレット５０と、前記トップタブレット１０及びミドルタブレット３０の間に配設されたトップシャッタ２０と、前記ミドルタブレット３０及びアンダータブレット５０の間に配設されたミドルシャッタ４０と、前記アンダータブレット５０に揺動自在に支持されたバルブ板６０と、該バルブ板６０の下方に配設されたスライドプレート７０と、該スライドプレート７０の下方に配設されたホッパ８０とを備えている。
【００１８】
前記トップタブレット１０は、少なくとも所定方向（図１におけるＸ方向）に並設されたｍ個の第１収容マス１１と、該ｍ個の第１収容マス１１を画する（ｍ＋１）個の第１区画部１２とを有している。図示の形態においては、前記トップタブレット１０は、Ｘ方向に並設された８個の第１収容マス１１と、該８個の第１収容マス１１を画する９個の第１区画部１２とを有している。
前記第１収容マス１１は上端及び下端が開口とされている。又、該第１収容マス１１及び第１区画部１２は、下端部のＸ方向幅がＬ１とされている。
即ち、図示のトップタブレット１０は、Ｘ方向幅Ｌ＝１７Ｌ１とされている。
【００１９】
前記ミドルタブレット３０は、前記トップタブレット１０における前記第１収容マス１１及び第１区画部１２に対応したｍ個の第２収容マス３１及び（ｍ＋１）個第２区画部３２を有している。
即ち、図示のミドルタブレット３０は、Ｘ方向幅がＬ１である第２収容マス３１が８個備えられ、且つ、Ｘ方向幅がＬ１である第２区画部３２が９個備えられている。
従って、図示のミドルタブレット３０は、前記トップタブレット１０と同様に、Ｘ方向幅Ｌ＝１７Ｌ１とされている。
【００２０】
前記トップシャッタ２０は、前記トップタブレット１０及びミドルタブレット３０の間にＸ方向移動可能に配設されている。
詳しくは、該トップシャッタ２０は、前記トップタブレット１０の下方において水平に延びる第１水平部２０ａと、該第１水平部２０ａのＸ方向一端部（図示の形態においては左端部）から下方に延びる第１当接部２０ｂとを備えている。前記第１水平部２０ａは、前記第１収容マス１１の下端開口を閉塞及び開放する第１遮蔽部２１及び第１開口部２２を有している。
【００２１】
そして、該トップシャッタ２０は、前記第１遮蔽部２１及び第１開口部２２がそれぞれ前記第１収容マス１１及び第１区画部１２の直下に位置する閉塞位置と、該第１遮蔽部２１及び第１開口部２２がぞれぞれ前記第１区画部１２及び第１収容マス１１の直下に位置する開放位置とをとり得るように構成されている。
【００２２】
前記アンダータブレット５０は、前記ミドルタブレット３０の下方にＸ方向移動可能に配設されている。
詳しくは、該アンダータブレット５０は、前記ミドルタブレット３０におけるｍ個の第２収容マス３１のうちのＸ方向一方側に位置するｎ個の一方側第２収容マス３１ａに対応したｎ個の第３収容マス５１と、該ｎ個の第３収容マス５１を画する（ｎ＋１）個の第３区画部５２とを有している。
そして、該アンダータブレット５０は、前記第３区画部５１が前記一方側第２収容マス３１ａの下端開口を閉塞する閉塞位置と、前記第３収容マス５１が前記一方側第２収容マス３１ａと位置合わせされる開放位置とをとるように構成されている。
【００２３】
なお、図示のミドルタブレット３０においては、前記８個の第２収容マス３１のうちＸ方向一方側に位置する４個の第２収容マス３１を、前記一方側第２収容マス３１ａとしている。
従って、図示のアンダータブレット５０は、４個の第３収容マス５１と、該４個の第３収容マス５１を画する５個の第３区画部５２を有している。
【００２４】
好ましくは、図示の形態において、前記５個の第３区画部５２のうち第３収容マス５１に挟まれる３個の中央第３区画部５２ａは、前記第１及び第２区画部１２，３２と同様に、Ｘ方向幅がＬ１とされている。
他方、前記５個の第３区画部５２のうちＸ方向両端に位置する２個の外方第３区画部５２ｂは、Ｘ方向幅がＬ２とされている。
従って、図示のアンダータブレット５０は、Ｘ方向幅Ｌ＝１１Ｌ１とされている。
【００２５】
前記ミドルシャッタ４０は、前記ミドルタブレット３０とアンダータブレット５０との間においてＸ方向移動可能に配設されている。
詳しくは、該ミドルシャッタ４０は、前記ミドルタブレット３０の下方において水平に延びる第２水平部４０ａと、該第２水平部４０ａのＸ方向他端部（図示の形態においては右端部）から下方に延びる第２当接部４０ｂとを備えている。前記第２水平部４０ａは、前記第２収容マス３１のうちのＸ他方側に位置する（ｍ−ｎ）個の他方側第２収容マス３１ｂの下端開口を閉塞及び開放する第２遮蔽部４１及び第２開放部４２を有している。
【００２６】
該ミドルシャッタ４０は、前記第２遮蔽部４１及び第２開口部４２がそれぞれ他方側第２収容マス３１ｂ及び第２区画部３２の直下に位置する閉塞位置と、該第２遮蔽部４１及び第２開口部４２がぞれぞれ第２区画部３２及び他方側第２収容マス３１ｂの直下に位置する開放位置とをとるように構成されている。
【００２７】
前述の通り、図示の形態においては、前記ミドルタブレット３０は第２収容マス３１を８個有し、且つ、前記アンダータブレット５０は第３収容マス５１を４個有している。
従って、図示のミドルシャッタ４０は、（８−４＝４）個の他方側第２収容マス３１ｂの下端開口を閉塞及び開放し得るように構成されている。
【００２８】
前記バルブ板６０は、前記第３収容マス５１の下端開口を閉塞及び開放する閉塞位置及び開放位置をとるように、前記アンダータブレット５０に揺動自在に連結されている。
即ち、本実施の形態に係る薬剤分割装置１は、前記ｎ個の第３収容マス５１のそれぞれにｎ個のバルブ板６０が設けられている。
図示の形態においては、前記アンダータブレット５０は前記第３収容マス５１を４個有しており、従って、前記バルブ板６０が４個備えられている。
【００２９】
前記スライドプレート７０は、前記アンダータブレット５０の下方に配設されており、該アンダータブレット５０との相対移動に応じて、前記ｎ個のバルブ板６０をＸ方向に沿って、順次、閉塞又は開放させ得るように構成されている。
即ち、一のバルブ板６０の下方にスライドプレート７０が存在する際には該一のバルブ板６０は閉塞位置に保持され、該一のバルブ板６０の下方にスライドプレート７０が存在しないように、アンダータブレット５０及びスライドプレート７０が相対移動すると、該一のバルブ板６０は自重によって開放位置に位置するようになっている。
【００３０】
本実施の形態においては、前記スライドプレート７０として、Ｘ方向に沿って互いに突き合わされる一対のスライド部材７１を有している。
該一対のスライド部材７１は、それぞれ、前記ミドルタブレット３０のＸ方向幅Ｌの約半分のＸ方向幅を有し、前記ミドルタブレット３０のＸ方向略中央部分で互いの対向端部が突き合わされる閉塞位置と、該対向端部が離間する開放位置とをとり得るようになっている。
【００３１】
さらに、本実施の形態に係る薬剤分割装置１は、前記一対のスライド部材７１の突き合わせ部分の下方に、ホッパ８０を有している。
【００３２】
以下、斯かる構成の薬剤分割装置の動作説明を行う。
図１（ａ）に示す初期状態においては、前記トップシャッタ２０は閉塞位置に位置しており、従って、トップタブレット１０の第１収容マス１１は閉塞されている。
閉塞位置に位置するトップシャッタ２０は、前記第１当接部２０ｂが前記ミドルタブレット３０及びアンダータブレット５０のＸ方向一端部と当接するようになっている。
【００３３】
又、該初期状態においては、前記アンダータブレット５０の第３収容マス５１及び第３区画部５２が、それぞれ、前記ミドルタブレット３０の第２区画部３２及び一方側第２収容マス３１ａと位置合わせされている。
即ち、初期状態におけるアンダータブレット５０は、Ｘ方向一端部が前記トップシャッタ２０の第１当接部２０ｂと当接した状態で、閉塞位置をとるようになっている。
さらに、該初期状態において、前記ミドルシャッタ４０は、前記ミドルタブレット３０の他方側第２収容マス３１ｂを閉塞する閉塞位置に位置している。
【００３４】
斯かる初期状態において、前記第１収容マス１１のそれぞれに所定量の薬剤を収容させた後、前記アンダータブレット５０をＸ方向一方側（図１における左側）へ移動させる。
詳しくは、前記アンダータブレット５０は、閉塞位置から開放位置へ移行すべく、Ｘ方向一方側へ距離Ｌ１だけ移動される（図１（ｂ）参照）。
前述の通り、前記アンダータブレット５０は、閉塞位置に位置する際、Ｘ方向一端部が前記トップシャッタ２０の第１当接部２０ｂと当接している。従って、該アンダータブレット５０のＸ方向一方側への距離Ｌ１の移動によって、前記トップシャッタ２０はＸ方向一方側へ距離Ｌ１だけ押動され、これにより、該トップシャッタ２０は開放位置に位置される。
【００３５】
図１（ｂ）に示すように、この状態においては、前記トップタブレット１０の第１収容マス１１、前記ミドルタブレット３０の一方側第２収容マス３１ａ及び前記アンダータブレット５０の第３収容マス５１が位置合わせされる。従って、前記第１収容マス３１に収容されている薬剤のうち前記一方側第２収容マス３１ａに対応した薬剤が、アンダータブレット５０の第３収容マス５１に落下投入される。
【００３６】
この状態において、前記バルブ板６０は、前記スライドプレート７０によって閉塞位置に保持されている。
従って、前記第３収容マス５１に落下投入された薬剤は、該第３収容マス５１内に保持される。
【００３７】
一方、図１（ｂ）に示すように、前記ミドルシャッタ４０は閉塞位置に維持されたままである。従って、前記第１収容マス１１に収容されている薬剤のうち前記他方側第２収容マス３１ｂに対応した薬剤は、該他方側第２収容マス３１ｂに保持される。
【００３８】
次に、前記アンダータブレット５０は、前記ミドルシャッタ４０を押動させない範囲内で、Ｘ方向他方側（図１においては右側）へ移動される（図１（ｃ）参照）。
詳しくは、前記ミドルシャッタ４０は、閉塞位置に位置する際に、前記第２当接部４０ｂが、Ｘ方向位置に関し、前記ミドルタブレット３０のＸ方向他端部と略位置合わせされている。
前記アンダータブレット５０は、Ｘ方向他端部が前記ミドルシャッタ４０の第２当接部４０ｂを介して該ミドルシャッタ４０をＸ方向他方側へ押動しない範囲内で、Ｘ方向他方側へ移動される（図１（ｃ））。
【００３９】
なお、この状態においても、前記バルブ板６０は、前記スライドプレート７０によって閉塞位置に保持されている。
詳しくは、図１（ａ）〜図１（ｃ）の間、前記スライド部材７１は、閉塞位置に保持されたままである。
従って、前記アンダータブレット５０が図１（ｂ）に示す状態から図１（ｃ）に示す状態へ移行する際にも、前記バルブ板６０は閉塞位置に保持されるようになっている。
【００４０】
次に、前記一対のスライド部材７１が開放位置へ移行される。即ち、一対のスライド部材７１は、互いの対向端部間に開口が形成されるように、離間移動される。
好ましくは、前記一対のスライド部材７１は、互いに離間する方向へ距離Ｌ１ずつ移動される（図２（ａ）参照）。
この状態において、前記アンダータブレット５０がＸ方向一方側へ順次移動される。斯かるアンダータブレット５０の移動によって、前記一対のスライド部材７１の対向端部間の開口上に位置するバルブ板６０が順次開放され、これにより、アンダータブレット５０における第３収容マス５１内の薬剤が順次ホッパ８０へ投入される。
【００４１】
その後、前記スライド部材７１を閉塞位置に位置させてから、前記アンダータブレット５０を軸方向他方側へ移動させる。そして、該アンダータブレット５０の軸方向他端部を介して、ミドルシャッタ４０を閉塞位置から開放位置まで軸方向他方側へ押動する。
本実施の形態においては、前記ミドルシャッタ４０は、閉塞位置から距離Ｌ１だけ軸方向他方側へ押動されることで、開放位置に位置するようになっている（図２（ｂ）参照）。
【００４２】
前記アンダータブレット５０は、前記ミドルシャッタ４０を開放位置へ位置させる際に、第３収容マス５１が他方側第２収容マス３１ｂと位置合わせされるように構成されている。
従って、他方側第２収容マス３１ｂに保持されていた薬剤は、それぞれ、対応する第３収容マス５１に落下投入される。
【００４３】
その後、前記一対のスライド部材７１を開放位置に位置させ、アンダータブレット５０をＸ方向一方側へ順次移動させることで、第３収容マス５１に収容されている薬剤が順次ホッパ８０へ投入させる。
【００４４】
斯かる構成の薬剤分割装置１においては、従来の構成に比して、該装置の収容スペースを可及的に縮小させることができる。
即ち、図３に示す従来構成においては、初期状態にある装置のＸ方向一方側にミドルタブレット１３０のＸ方向幅と同一幅の移動スペースを確保する必要がある。
つまり、図３に示す形態においては、装置のＸ方向一方側にＬ＝１７Ｌ１の移動スペースを要する。
これに対し、本実施の形態に係る薬剤分割装置１においては、初期状態にある装置のＸ方向一方側及び他方側に、それぞれ、Ｌ１の移動スペースを確保すれば良く、装置の収容スペースを大幅に減少させることができる。
【００４５】
なお、本実施の形態においては、前記トップタブレット１０、ミドルタブレット３０及びアンダータブレット５０についてＸ方向に関してのみ説明したが、当然ながら、該トップタブレット１０、ミドルタブレット３０及びアンダータブレット５０は水平面内においてＸ方向に直交するＹ方向にも複数の収容マスを備えることができる。
【００４６】
【発明の効果】
以上のように、本発明に係る薬剤分割装置によれば、可動部材であるアンダータブレット及びスライドプレートの移動スペースを大幅に減少させることができる。
従って、装置の収容スペースを可及的に縮小させることができる。
【図面の簡単な説明】
【図１】図１は、本発明の好ましい一実施の形態に係る薬剤分割装置の縦断面図である。
図１（ａ）は、初期状態を示している。
図１（ｂ）は、初期状態からアンダータブレットをＸ方向一方側へ移動させてトップシャッタを開放位置に位置させた状態を示している。
図１（ｃ）は、図１（ｂ）に示す状態からトップシャッタを閉塞位置へ戻すと共に、アンダータブレットをＸ方向他方側の所定位置まで移動させた状態を示している。
【図２】図２は、本発明の好ましい一実施の形態に係る薬剤分割装置の縦断面図である。
図２（ａ）は、図１（ｃ）に示す状態から、スライドプレートを開放位置に位置させると共に、アンダータブレットをＸ方向一方側へ移動させることで、該アンダータブレットにおける第３収容マスを順次開放させた状態を示している。
図２（ｂ）は、図２（ａ）に示す状態から、スライドプレートを閉塞位置へ移行させると共に、アンダータブレットをＸ方向他方側へ移動させることで、ミドルシャッタを開放位置に位置させた状態を示している。
図２（ｃ）は、図２（ｂ）に示す状態から、スライドプレートを開放位置へ移行させると共に、アンダータブレットをＸ方向一方側へ移動させることで、該アンダータブレットにおける第３収容マスを順次開放させた状態を示している。
【図３】図３は、従来の薬剤分割装置の縦断面図である。
図３（ａ）は、初期状態を示している。
図３（ｂ）は、初期状態からトップシャッタを開放位置へ移行させて、トップタブレットに収容されていた薬剤をアンダータブレットへ落下させた状態を示している。
図３（ｃ）は、図３（ａ）に示す状態から、アンダータブレットをＸ方向一方側へ移動させることで、該アンダータブレットの収容マスを順次開放させる状態を示している。
図３（ｄ）は、図３（ｃ）に示す状態から、アンダータブレットをＸ方向一方側へ移動させて、該アンダータブレットの全収容マスを順次開放させた状態を示している。
【符号の説明】
１　　　　　　　　薬剤分割装置
１０　　　　　　　トップタブレット
１１　　　　　　　第１収容マス
１２　　　　　　　第１区画部
２０　　　　　　　トップシャッタ
２０ａ　　　　　　第１水平部
２０ｂ　　　　　　第１当接部
２１　　　　　　　第１遮蔽部
２２　　　　　　　第１開口部
３０　　　　　　　ミドルタブレット
３１　　　　　　　第２収容マス
３１ａ　　　　　　一方側第２収容マス
３１ｂ　　　　　　他方側第２収容マス
３２　　　　　　　第２区画部
４０　　　　　　　ミドルシャッタ
４０ａ　　　　　　第２水平部
４０ｂ　　　　　　第２当接部
４１　　　　　　　第２遮蔽部
４２　　　　　　　第２開口部
５０　　　　　　　アンダータブレット
５１　　　　　　　第３収容マス
５２　　　　　　　第３区画部
６０　　　　　　　バルブ板
７０　　　　　　　スライドプレート
７１　　　　　　　スライド部材
８０　　　　　　　ホッパ
【図１】
2004113506.tif 000003
【図２】
2004113506.tif 000004
【図３】
2004113506.tif 000005